(57)【要約】【課題】映像表示装置に入力する映像信号の種類や入力経路、及び当該映像表示装置で選択されている映像モードにかかわりなく、映像・音声の出力タイミングを確実に同期させる。【解決手段】ＡＶシステムは、コンテンツの映像信号を表示させる映像表示装置としてのテレビ１０と、そのコンテンツの音声信号を音声出力させるオーディオシステムを構成するＡＶアンプ３０とを備える。テレビ１０は、入力した映像信号を表示させるまでの映像処理時間により決定される映像遅延量と、入力した音声信号を音声出力させるまでの音声処理時間により決定される音声遅延量とを求め、これら映像遅延量と音声遅延量とをＡＶアンプ３０に送信する。ＡＶアンプ３０は、送信された映像遅延量と音声遅延量とを用いて、テレビ１０で表示させる映像と、オーディオシステムで音声出力させる音声とを同期させる。【選択図】図１
2010273078.tif 000002
【特許請求の範囲】
【請求項１】
映像信号と音声信号とによるコンテンツの前記映像信号を表示させる映像表示装置と、前記音声信号を音声出力させるオーディオシステムとを備えたＡＶシステムにおいて、
前記映像表示装置は、入力した映像信号を表示させるまでの映像処理時間により決定される映像遅延量と、入力した音声信号を音声出力させるまでの音声処理時間により決定される音声遅延量とを求め、該求めた映像遅延量と音声遅延量とを前記オーディオシステムに送信し、
該オーディオシステムは、送信された前記映像遅延量と前記音声遅延量とを用いて、前記映像表示装置で表示させる映像と、前記オーディオシステムで音声出力させる音声とを同期させることを特徴とするＡＶシステム。
【請求項２】
請求項１に記載のＡＶシステムにおいて、前記映像表示装置は、コンテンツが出力される外部機器を接続するための複数の外部入力端子を備え、かつ、表示映像の画質を予め設定した複数の映像モードを有し、表示中の映像の解像度が変化した時、前記外部入力が切り換えられた時、前記映像モードが切り替られた時、及び前記オーディオシステムの接続を検出した時に、前記映像遅延量と音声遅延量とを前記オーディオシステムに送信することを特徴とするＡＶシステム。
【請求項３】
請求項１または２に記載のＡＶシステムにおいて、前記映像表示装置は、前記映像遅延量と音声遅延量とを前記オーディオシステムに送信する前に、前記オーディオシステムにおける音声出力のミュートを指示する情報を前記オーディオシステムに送信するともに、前記映像遅延量と音声遅延量とを前記オーディオシステムに送信した後に、前記オーディオシステムにおける音声出力のミュートの解除を指示する情報を前記オーディオシステムに送信することを特徴とするＡＶシステム。
【請求項４】
請求項１〜３のいずれか１に記載のＡＶシステムにおいて、前記オーディオシステムは、前記映像表示装置から出力された音声信号を入力する手段と、外部機器から入力した映像信号及び音声信号を入力する手段と、該外部機器から入力した映像信号及び音声信号を前記映像表示装置に出力する手段とを有し、前記映像表示装置から出力された音声信号を音声出力させる場合には、前記映像表示装置から送信された前記映像遅延量と前記音声遅延量とを用いて音声出力を行い、前記外部機器から入力した音声信号を音声出力させる場合には、前記映像表示装置から送信された前記音声遅延量を用いて音声出力を行うことを特徴とするＡＶシステム。
【請求項５】
請求項１〜３のいずれか１に記載のＡＶシステムにおいて、前記オーディオシステムは、前記映像表示装置から出力された音声信号を入力する手段と、外部機器から入力した音声信号を入力する手段とを有し、前記映像表示装置から出力された音声信号を音声出力させる場合には、前記映像表示装置から送信された前記映像遅延量と前記音声遅延量とを用いて音声出力を行い、
前記外部機器から前記映像表示装置に出力した映像信号を該映像表示装置に出力させ、前記外部機器から入力した音声信号を音声出力させる場合には、前記映像表示装置から送信された前記映像遅延量を用いて音声出力を行うことを特徴とするＡＶシステム。
【請求項６】
請求項４に記載のＡＶシステムにおいて、前記オーディオシステムは、前記外部機器から入力した音声信号を前記映像表示装置に出力させる場合には、遅延処理を行わない音声信号を前記映像表示装置に出力し、
前記映像表示装置は、該映像表示装置で音声出力させる場合には、前記映像信号の遅延処理量に従って、前記音声信号の遅延量を調整し、音声出力と映像出力とを同期させることを特徴とするＡＶシステム。
【請求項７】
映像信号と音声信号とによるコンテンツの前記映像信号を表示させる映像表示装置に接続されたオーディオシステムにおいて、
前記映像表示装置が入力映像信号を表示させるまでの映像処理時間により決定した映像遅延量と、前記映像表示装置が入力音声信号を音声出力させるまでの音声処理時間により決定した音声遅延量とを前記映像表示装置から受信し、
受信した前記映像遅延量と前記音声遅延量とを用いて、前記映像表示装置で表示する映像に、前記オーディオシステムで音声出力させる音声を同期させることを特徴とするオーディオシステム。
【請求項８】
請求項７に記載のオーディオシステムにおいて、前記映像表示装置から出力された音声信号を入力する手段と、外部機器から入力した映像信号及び音声信号とを入力する手段と、該外部機器から入力した映像信号及び音声信号を前記映像表示装置に出力する手段とを有し、前記映像表示装置から出力された音声信号を音声出力させる場合には、前記映像表示装置から送信された前記映像遅延量と前記音声遅延量とを用いて音声出力を行い、前記外部機器から入力した音声信号を音声出力させる場合には、前記映像表示装置から送信された前記音声遅延量を用いて音声出力を行うことを特徴とするオーディオシステム。
【請求項９】
請求項７に記載のオーディオシステムにおいて、前記映像表示装置から出力された音声信号を入力する手段と、外部機器から入力した音声信号とを入力する手段とを有し、
前記映像表示装置から出力された音声信号を音声出力させる場合には、前記映像表示装置から送信された前記映像遅延量と前記音声遅延量とを用いて音声出力を行い、
前記外部機器から前記映像表示装置に出力した映像信号を該映像表示装置に出力させ、前記外部機器から入力した音声信号を音声出力させる場合には、前記映像表示装置から送信された前記映像遅延量を用いて音声出力を行うことを特徴とするオーディオシステム。
【請求項１０】
映像信号と音声信号とによるコンテンツの前記映像信号を表示させる映像表示装置において、入力した映像信号を表示させるまでの映像処理時間により決定される映像遅延量と、入力した音声信号を音声出力させるまでの音声処理時間により決定される音声遅延量とを求め、該求めた映像遅延量と音声遅延量とを、音声信号を音声出力させるオーディオシステムに対して送信することを特徴とする映像表示装置。
【請求項１１】
請求項１０に記載の映像表示装置において、コンテンツが出力される外部機器を接続するための複数の外部入力端子を備え、かつ、表示映像の画質を予め設定した複数の映像モードを有し、表示中の映像の解像度が変化した時、前記外部入力が切り換えられた時、前記映像モードが切り替られた時、及び前記オーディオシステムの接続を検出した時に、前記映像遅延量と音声遅延量とを前記オーディオシステムに対して送信することを特徴とする映像表示装置。
【請求項１２】
請求項１０または１１に記載の映像表示装置において、前記映像遅延量と音声遅延量とを前記オーディオシステムに送信する前に、前記オーディオシステムにおける音声出力のミュートを指示する情報を前記オーディオシステムに送信するともに、前記映像遅延量と音声遅延量とを前記オーディオシステムに送信した後に、前記オーディオシステムにおける音声出力のミュートの解除を指示する情報を前記オーディオシステムに送信することを特徴とする映像表示装置。
【発明の詳細な説明】
【技術分野】
【０００１】
本発明は、ＡＶシステム、オーディオシステム及び映像表示装置に関し、より詳細には、映像を表示させる映像表示装置と、その映像表示装置で表示する映像に同期させて音声を出力させるオーディオシステムとを備えたＡＶシステムに関する。
【背景技術】
【０００２】
例えば、テレビなどの映像表示装置では、放送波を受信して映像を表示させる機能の他、外部機器から映像及び音声を入力して出力する機能を有している。このような外部機器としては、各種メディアを用いたレコーダやプレーヤ、あるいはリピータ機器などが接続可能で、例えば、ＡＶアンプ、ＢＤ（blu-ray）プレーヤ、ＨＤＤレコーダ等の機器が適用される。そして映像表示装置は、これらの外部機器を接続するための入力端子を複数備えていて、ユーザ操作等によってアクティブな入力を切り換えることができるようになっている。
【０００３】
このようなテレビなどの映像表示装置と、ＡＶアンプ及びスピーカからなるオーディオシステムとを使用して、映像表示装置で映像を表示させるともに、オーディオシステムのスピーカによって音声を出力させるようにした所謂ホームシアターシステムがある。このようなシステムでは、例えばテレビのチューナで受信した放送波の映像をテレビで表示させるとともに、その放送波の音声についてはテレビからＡＶアンプへ転送し、ＡＶアンプに接続したスピーカから出力させるようにしている。
【０００４】
また、ＡＶアンプの入力端子に接続したプレーヤやレコーダなどの外部機器から出力された映像・音声コンテンツの場合には、ＡＶアンプに接続したスピーカから音声を出力し、映像についてはＡＶアンプからテレビに送信してテレビで表示出力させるようにしている。あるいは、外部機器から直接テレビに入力した映像・音声コンテンツの場合に、映像はそのままテレビで表示し、音声をテレビからＡＶアンプに送ってスピーカから出力させる、などの形態もある。
【０００５】
一方、上記のような映像表示装置では、表示される映像に合わせて最適な表示をするための各種映像モードを持っている。例えば、標準、映画、ＰＣ、ゲームなどの映像モードが予め用意されていて、ユーザにより任意のモードが選択可能となっている。これらのモードは、それぞれの映像の種類に応じて予め映像出力状態が調整されている。
【０００６】
例えば、映画モードの場合には、映画コンテンツを高画質で表示させるため、映像処理に時間を要する。一方、ゲームモードの場合には、映像品質よりも映像表示の即時性が重視されるため、映像処理に時間をかけずに表示出力させるようにしている。また、映像モードに応じて、その明るさやコントラスト、黒レベル、色の濃さや色合いなどが個別に設定されている。このように、映像表示装置に入力した映像信号を映像処理して表示させるまでの時間は、映像モードによって異なっている。
【０００７】
また、上記のようなホームシアターシステムを構成したときに、映像表示装置では、受信した放送波の映像や、外部機器から入力した映像を表示することになる。入力した映像信号を映像処理して表示出力させる際には、入力した映像信号の解像度などのフォーマットに応じて、映像表示装置で表示可能となるように映像処理を行う必要がある。また、このときに、上記のような複数の映像モードのそれぞれに応じて、映像表示装置に入力した映像信号を映像処理して表示画面に表示するまでの映像処理時間が異なることになる。
つまり、映像表示装置に入力する映像のフォーマットや映像表示装置で選択されている映像モードに応じて、入力映像信号を表示するまでの時間が異なることになる。
【０００８】
このときに、映像表示装置で映像を表示し、ＡＶアンプに接続したスピーカで音声を出力するホームシアターシステムでは、映像と音声とを同期して出力させる（所謂リップシンクをとる）必要があるが、映像表示装置における映像信号の映像処理の時間が入力映像によって変化してしまうと、映像と音声を同期できない状態が発生し、これを視聴するユーザが違和感を感じて品位が低下する、という問題がある。
【０００９】
例えば、特許文献１では、出力装置、音声処理装置、映像処理装置を接続したシステムにおいて、再生音声と再生映像とのずれ（リップシンクのずれ）を防止するための技術を開示している。ここでは、映像表示装置は、映像信号の形式と設定された信号処理モードとに基づいて、映像信号が供給されてから信号処理して映像が表示されるまでにかかる時間を特定し、この特定した時間に応じた遅延制御情報を上流の機器に通知し、この遅延制御情報に基づいて上流の機器において音声信号の遅延処理を行う。つまり、映像処理装置は、映像処理時間を音声処理装置、または出力装置に通知することにより、映像と音声の同期をとるようにしている。
【００１０】
また特許文献２では、音声信号と映像信号とが異なる機器で処理されるシステムにおいて、いわゆるリップシンクのずれを発生させないようにすることを目的としたシステムが開示されている。ここでは、映像処理装置が映像信号の供給を受けてからその映像信号に応じた映像を表示素子の表示画面に表示するまでにかかる時間（処理時間情報）をアンプ装置が取得し、アンプ装置では、取得した処理時間に基づいてスピーカに供給する音声信号の遅延処理を行うようにしている。
【先行技術文献】
【特許文献】
【００１１】
【特許文献１】特開２００７−２７４４０９号公報
【特許文献２】特開２００６−３３４３６号公報
【発明の概要】
【発明が解決しようとする課題】
【００１２】
上述したように、テレビなどの表示装置と、アンプおよびスピーカと使用して映像・音声コンテンツを出力させるシステムでは、出力対象の入力経路には様々なパターンが採られる。これに対して特許文献１の技術では、リップシンクを合わせることができるのは、テレビに接続されるＡＶアンプの経路を用いる場合のみである。特許文献２では、映像処理装置とアンプ装置間の具体的なコマンド送受信処理については記載されていない。
【００１３】
また、上記のような映像表示の映像モードと、表示映像の解像度とに対応し、かつ、映像・音声信号の入力経路にかかわらず、常に映像と音声を同期させて出力させるようにした思想については、上記文献には開示されていない。
【００１４】
本発明は、上述のごとき実情に鑑みてなされたもので、映像表示装置に入力する映像信号の種類や入力経路、及び当該映像表示装置で選択されている映像モードにかかわりなく、映像表示装置と、その映像表示装置に接続されるオーディオシステムとの映像・音声の出力タイミングを確実に同期させることを可能としたＡＶシステム、オーディシステム及び映像表示装置を提供することを目的とするものである。
【課題を解決するための手段】
【００１５】
上記課題を解決するために、本発明の第１の技術手段は、映像信号と音声信号とによるコンテンツの映像信号を表示させる映像表示装置と、音声信号を音声出力させるオーディオシステムとを備えたＡＶシステムにおいて、映像表示装置は、入力した映像信号を表示させるまでの映像処理時間により決定される映像遅延量と、入力した音声信号を音声出力させるまでの音声処理時間により決定される音声遅延量とを求め、求めた映像遅延量と音声遅延量とをオーディオシステムに送信し、オーディオシステムは、送信された映像遅延量と音声遅延量とを用いて、映像表示装置で表示させる映像と、オーディオシステムで音声出力させる音声とを同期させることを特徴としたものである。
【００１６】
第２の技術手段は、第１の技術手段において、映像表示装置は、コンテンツが出力される外部機器を接続するための複数の外部入力端子を備え、かつ、表示映像の画質を予め設定した複数の映像モードを有し、表示中の映像の解像度が変化した時、外部入力が切り換えられた時、映像モードが切り替られた時、及びオーディオシステムの接続を検出した時に、映像遅延量と音声遅延量とをオーディオシステムに送信することを特徴としたものである。
【００１７】
第３の技術手段は、第１または第２の技術手段において、映像表示装置は、映像遅延量と音声遅延量とをオーディオシステムに送信する前に、オーディオシステムにおける音声出力のミュートを指示する情報をオーディオシステムに送信するともに、映像遅延量と音声遅延量とをオーディオシステムに送信した後に、オーディオシステムにおける音声出力のミュートの解除を指示する情報をオーディオシステムに送信することを特徴としたものである。
【００１８】
第４の技術手段は、第１〜３のいずれか１の技術手段において、オーディオシステムは、映像表示装置から出力された音声信号を入力する手段と、外部機器から入力した映像信号及び音声信号を入力する手段と、外部機器から入力した映像信号及び音声信号を映像表示装置に出力する手段とを有し、映像表示装置から出力された音声信号を音声出力させる場合には、映像表示装置から送信された映像遅延量と音声遅延量とを用いて音声出力を行い、外部機器から入力した音声信号を音声出力させる場合には、映像表示装置から送信された音声遅延量を用いて音声出力を行うことを特徴としたものである。
【００１９】
第５の技術手段は、第１〜３のいずれか１の技術手段において、オーディオシステムは、映像表示装置から出力された音声信号を入力する手段と、外部機器から入力した音声信号を入力する手段とを有し、映像表示装置から出力された音声信号を音声出力させる場合には、映像表示装置から送信された映像遅延量と音声遅延量とを用いて音声出力を行い、外部機器から映像表示装置に出力した映像信号を映像表示装置に出力させ、外部機器から入力した音声信号を音声出力させる場合には、映像表示装置から送信された映像遅延量を用いて音声出力を行うことを特徴としたものである。
【００２０】
第６の技術手段は、第４の技術手段において、オーディオシステムは、外部機器から入力した音声信号を映像表示装置に出力させる場合には、遅延処理を行わない音声信号を映像表示装置に出力し、映像表示装置は、映像表示装置で音声出力させる場合には、映像信号の遅延処理量に従って、音声信号の遅延量を調整し、音声出力と映像出力とを同期させることを特徴としたものである。
【００２１】
第７の技術手段は、映像信号と音声信号とによるコンテンツの映像信号を表示させる映像表示装置に接続されたオーディオシステムにおいて、映像表示装置が入力映像信号を表示させるまでの映像処理時間により決定した映像遅延量と、映像表示装置が入力音声信号を音声出力させるまでの音声処理時間により決定した音声遅延量とを映像表示装置から受信し、受信した映像遅延量と音声遅延量とを用いて、映像表示装置で表示する映像に、オーディオシステムで音声出力させる音声を同期させることを特徴としたものである。
【００２２】
第８の技術手段は、第７の技術手段において、映像表示装置から出力された音声信号を入力する手段と、外部機器から入力した映像信号及び音声信号とを入力する手段と、外部機器から入力した映像信号及び音声信号を映像表示装置に出力する手段とを有し、映像表示装置から出力された音声信号を音声出力させる場合には、映像表示装置から送信された映像遅延量と音声遅延量とを用いて音声出力を行い、外部機器から入力した音声信号を音声出力させる場合には、映像表示装置から送信された音声遅延量を用いて音声出力を行うことを特徴としたものである。
【００２３】
第９の技術手段は、第７の技術手段において、映像表示装置から出力された音声信号を入力する手段と、外部機器から入力した音声信号とを入力する手段とを有し、映像表示装置から出力された音声信号を音声出力させる場合には、映像表示装置から送信された映像遅延量と音声遅延量とを用いて音声出力を行い、外部機器から映像表示装置に出力した映像信号を映像表示装置に出力させ、外部機器から入力した音声信号を音声出力させる場合には、映像表示装置から送信された映像遅延量を用いて音声出力を行うことを特徴としたものである。
【００２４】
第１０の技術手段は、映像信号と音声信号とによるコンテンツの映像信号を表示させる映像表示装置において、入力した映像信号を表示させるまでの映像処理時間により決定される映像遅延量と、入力した音声信号を音声出力させるまでの音声処理時間により決定される音声遅延量とを求め、求めた映像遅延量と音声遅延量とを、音声信号を音声出力させるオーディオシステムに対して送信することを特徴としたものである。
【００２５】
第１１の技術手段は、第１０の技術手段において、コンテンツが出力される外部機器を接続するための複数の外部入力端子を備え、かつ、表示映像の画質を予め設定した複数の映像モードを有し、表示中の映像の解像度が変化した時、外部入力が切り換えられた時、映像モードが切り替られた時、及びオーディオシステムの接続を検出した時に、映像遅延量と音声遅延量とをオーディオシステムに対して送信することを特徴としたものである。
【００２６】
第１２の技術手段は、第１０または１１の技術手段において、映像遅延量と音声遅延量とをオーディオシステムに送信する前に、オーディオシステムにおける音声出力のミュートを指示する情報をオーディオシステムに送信するともに、映像遅延量と音声遅延量とをオーディオシステムに送信した後に、オーディオシステムにおける音声出力のミュートの解除を指示する情報をオーディオシステムに送信することを特徴としたものである。
【発明の効果】
【００２７】
本発明によれば、映像表示装置に入力する映像信号の種類や入力経路、及び当該映像表示装置で選択されている映像モードにかかわりなく、映像表示装置と、その映像表示装置に接続されるオーディオシステムとの映像・音声の出力タイミングを確実に同期させることを可能としたＡＶシステム、オーディシステム及び映像表示装置を提供することができる。
【図面の簡単な説明】
【００２８】
【図１】本発明に係るＡＶシステムの接続構成例を説明するための図である。
【図２】図１に示すＡＶシステムの要部構成例を示すブロック図である。
【図３】本発明に係るＡＶシステムの他の接続構成例を示す図である。
【図４】図３に示すＡＶシステムの要部構成例を示すブロック図である。
【図５】本発明の実施形態におけるテレビとＡＶアンプの処理シーケンスの一例を説明するための図である。
【図６】レコーダの再生コンテンツを視聴しているときの信号と出力の状態を説明するための図である。
【図７】テレビの受信コンテンツを視聴しているときの信号と出力の状態を説明するための図である。
【図８】本発明の実施形態における映像処理装置の処理の一例を説明するためのフローチャートである。
【図９】本発明の実施形態におけるオーディオシステムの処理の一例を説明するためのフローチャートである。
【発明を実施するための形態】
【００２９】
本発明に係る実施形態では、映像表示装置は、入力された映像信号が画面に表示されるまでの映像処理時間により決定した映像遅延量と、入力された音声信号が音声出力されるまでの音声処理時間により決定した音声遅延量とを、映像表示装置に接続されたオーディオシステムのＡＶアンプに送信する。ＡＶアンプでは、映像表示装置から送信された映像遅延量と音声遅延量とを使用して、映像表示装置における映像表示に同期させて音声出力を行う。
【００３０】
また、本発明に係る実施形態では、映像表示装置は、コンテンツが出力される外部機器を接続するための複数の外部入力端子を備えていて選択可能となっている。また、表示映像の画質を予め設定した複数の映像モードを有しており、表示中の映像の解像度が変化した時、外部入力が切り換えられた時、あるいは映像モードが切り替られた時、あるいはオーディオシステムの接続を検出した時に、映像遅延量と音声遅延量とをオーディオシステムに送信する。
【００３１】
ここで映像表示装置は、オーディオシステムにおける音声出力のミュートを指示する情報、及びミュートの解除を指示する情報をそれぞれ映像遅延量と音声遅延量とをオーディオシステムに送信する前後にオーディオシステムに送信する。これによりオーディオシステムにおいて、映像に同期しない短時間の音声出力が行われて品位を低下させることを確実に防ぐことができる。
【００３２】
また、本発明に係る実施形態では、オーディオシステムは、映像表示装置から出力された音声信号を音声出力させる場合には、映像表示装置から送信された映像遅延量と音声遅延量とを用いて音声出力を行い、一方、オーディオシステムに接続されたレコーダやプレーヤなどの外部機器から入力した音声信号を音声出力させる場合には、映像表示装置から送信された映像遅延量を用いて音声出力を行う。また、オーディオシステムからは、外部機器から入力した音声信号を映像表示装置に出力させる場合には、遅延処理を行わない音声信号を出力し、映像表示装置が音声出力させる場合には、映像信号の遅延処理量に従って音声信号の遅延量を調整し、音声出力と映像出力とを同期させるようにする。
以下に本発明に係る実施形態の構成及び動作をさらに具体的に説明する。
【００３３】
図１は、本発明に係るＡＶシステムの接続構成例を説明するための図である。本実施形態のＡＶシステムは、映像表示装置としてテレビ１０を備えるとともに、オーディオシステムとして、ＡＶアンプ３０及び該ＡＶアンプ３０に接続された図示しないスピーカを備えている。また、ＡＶアンプ３０の入力端子には、レコーダ４０とプレーヤ５０が接続されている。テレビ、及びＡＶアンプとスピーカとによって、本発明のＡＶシステムの実施形態が構成され、テレビ単独で本発明の映像表示装置の実施形態が構成され、さらにＡＶアンプとスピーカとによって本発明のオーディオシステムの実施形態が構成される。
【００３４】
本実施形態では、映像表示装置としてのテレビ１０と、オーディオシステムのアンプ部としてのＡＶアンプ３０とが接続されたＡＶシステムにおいて、テレビ１０で受信した放送コンテンツや、レコーダ４０あるいはプレーヤ５０から出力された映像・音声コンテンツをテレビ１０にて映像表示させるとともに、これに同期してＡＶアンプ３０に接続されたスピーカから音声出力を行わせるものである。
【００３５】
ここで、本実施形態では、テレビ１０からＡＶアンプ３０への音声出力は、ＳＰＤＩＦ（Sony Philips Digital InterFace）の光デジタル音声端子、もしくは同軸デジタル音声端子によって行われる。ＳＰＤＩＦによる音声伝送方式及び接続端子は、ＩＥＣ６０９５８及びＥＩＡＪＲＣ−５７２０Ｂで規格化されている。
【００３６】
また、本実施形態では、テレビ１０とＡＶアンプ３０とはＨＤＭＩ（High Definition Multimedia Interface）ケーブルにて接続され、ＡＶアンプ３０からテレビ１０に対して映像信号及び音声信号が送信可能とされる。ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格Ｖｅｒ１．０）、２００５年１２月（ＨＤＭＩ規格バージョン１．２ａ）においてＡＶ機器間のコントロールを行うための制御プロトコルとしてＣＥＣ（Consumer Electronics Control）の規定が追加された。
【００３７】
なお、ＣＥＣに関する用語は、ＨＤＭＩ規格の「2.2 Glossary of Terms」,「CEC 2.2 Glossary of Terms」他に定義されており、ＨＤＭＩ入力端子を持ちＡＶストリームを表示出力するものはシンク（Sink）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。本実施形態では、テレビ１０がシンク機器であり、ＡＶアンプ３０がリピータ機器、レコーダ４０及びプレーヤ５０がソース機器に該当する。
【００３８】
なお、本実施形態のレコーダ４０とプレーヤ５０は、いずれも可搬型もしくは内蔵型の記憶媒体から映像・音声コンテンツを読み出して再生し、ＡＶアンプ３０に出力する機能を持つものである。
本実施形態の構成の特徴は、ＡＶアンプ３０の外部入力端子にソース機器が１または複数接続されたものであり、ソース機器の種類は特に限定されず、上記のようにコンテンツの再生専用のプレーヤや、記録及び再生可能なレコーダを適用できる。またＡＶアンプ３０の下層（入力側）に更に他のリピータ機器（ＡＶアンプなど）が接続されたものであってもよい。また、本発明に関しては、上記映像表示装置からオーディオシステムに対する音声信号の出力方式、及びオーディオシステムから映像表示装置に対する映像信号と音声信号の出力方式を何ら限定するものではなく、適宜公知の方式を採用できる。
【００３９】
図２は、図１に示すＡＶシステムの要部構成例を示すブロック図である。本実施形態のＡＶシステムは、テレビ１０とレコーダ４０とが、ＡＶアンプ３０を介してＨＤＭＩ接続されている。ここでＡＶアンプ３０は、複数のＨＤＭＩ入力を備えることができ、図１に示すように、ＡＶアンプ３０に対してもう一台のソース機器（例えばプレーヤ５０）が接続される場合には、ＡＶアンプ３０の他のＨＤＭＩ入力端子に対して、レコーダ４０と同様の要部の機能を備えるソース機器が接続される。
【００４０】
レコーダ４０は、例えば、ＢＤレコーダやＤＶＤレコーダ、ＨＤＤレコーダ等として構成され、記憶媒体に記憶した映像・音声コンテンツを再生して出力することができる。上記のように、レコーダ４０のかわりに再生専用のプレーヤであってもよい。
ここではレコーダ４０は、記録媒体に記録した映像信号と音声信号をそれぞれ処理する映像処理部４２及び音声処理部４３と、処理された映像信号及び音声信号を送信するＨＤＭＩトランスミッタ４４と、ＣＥＣメッセージを送受信するためのＣＥＣ処理部４１とを備えている。
【００４１】
次にＡＶアンプ３０は、ＣＥＣメッセージを送受信するためのＣＥＣ処理部３１と、音声用バッファ３６を制御するバッファ制御部３２と、映像及び音声信号を受信するＨＤＭＩレシーバ３３と、音声信号を処理する音声処理部３５と、音声信号をバッファリングする音声用バッファ３６と、映像信号及び音声信号を送信するＨＤＭＩトランスミッタ３４と、テレビからＳＰＤＩＦによって送信された音声情報を受信する光入力部３８を有している。この例では、テレビ１０からＡＶアンプ３０に対する音声信号を送信するために、ＳＰＤＩＦの光デジタル音声端子を使用している。ＡＶアンプ３０の光入力部３８は２つの入力端子を備え、２系統で光入力が可能となっている。
【００４２】
また、ＡＶアンプ３０には、バッファ３６を介して音声信号を音声出力するスピーカ３７が接続される。ここでは、ＡＶアンプ３０にスピーカを内蔵したオーディシステムとして構成してもよい。いずれにしても、図２のＡＶアンプ３０とスピーカ３７とによって、ＡＶシステムを構成するオーディオシステムの実施形態が構成され、レコーダ４０から出力された映像・音声コンテンツの音声信号、もしくは、テレビ１０から出力された音声信号をこのオーディオシステムにより音声出力することができる。
【００４３】
なお、ＡＶアンプ３０のＨＤＭＩトランスミッタ３４は、映像信号と音声信号をテレビ１０に転送できるが、レコーダ４０からの映像・音声コンテンツから音声信号を抜き出して、映像信号のみをテレビ１０に転送させるようにしてもよく、あるいは、レコーダ４０からの映像・音声コンテンツの音声信号をスピーカ３７から音声出力するともに、音声信号を映像信号とともにテレビ１０に転送し、テレビ１０にて音声信号を利用できるようにしてもよい。例えば、ＡＶアンプ３０で音声出力させるときには、通常、テレビ１０が本来備えているスピーカからの音声出力はミュートさせるが、このときに、ＡＶアンプ３０からテレビ１０に送信した音声信号をヘッドフォンに出力させるようにしてもよい。
【００４４】
テレビ１０は、ＣＥＣメッセージを送受信するためのＣＥＣ処理部１１と、テレビ１０に設定されている映像モード、及び表示すべき入力映像信号の解像度を判別する映像モード・解像度判別部１２と、映像モードと解像度とに応じた映像遅延量及び音声遅延量を抽出する映像・音声遅延量抽出部１３とを有している。映像・音声遅延量抽出部１３は、映像モード・解像度判別部１２が判別した映像モード及び解像度に基づいて、その映像信号を表示させるまでの映像処理時間に基づく映像遅延量と、音声信号を光出力部２１から出力させるまでの音声処理時間に基づく音声遅延量を抽出する。この場合、映像モードと解像度とに応じた映像遅延量及び音声遅延量を記憶したメモリ等の記憶手段を用いることができる。あるいは、映像遅延量及び音声遅延量をその都度演算により求めてもよい。
【００４５】
さらにテレビ１０は、映像信号及び音声信号を受信するＨＤＭＩレシーバ１４と、映像信号を処理する映像処理部１５と、映像信号をバッファリングする映像用バッファ１６と、バッファリングした映像信号を表示するＬＣＤなどの表示パネル１７と、音声信号を処理する音声処理部１８と、音声信号をバッファリングする音声用バッファ１９と、音声信号を音声出力するスピーカ２０と、音声処理部１８で処理した音声信号をＡＶアンプ３０に出力する光出力部２１とを有している。また、テレビ１０は、受信した放送波を選局して復調する図示しないチューナ部などテレビ本来の機能を備えている。
【００４６】
本実施形態では、ソース機器であるレコーダ４０、リピータ機器であるＡＶアンプ３０、及びシンク機器であるテレビ１０がＨＤＭＩ接続され、機器間においてＣＥＣメッセージを送受信することができる。レコーダ４０とＡＶアンプ３０、及びＡＶアンプ３０とテレビ１０間はＨＤＭＩケーブルで接続される。ＨＤＭＩケーブルは、機器間で共通の制御信号（ＣＥＣメッセージ）を伝送する双方向バスであるＣＥＣラインと、デジタル信号である映像・音声信号を差動方式で伝送するためのＴＭＤＳ(Transition Minimized Differential Signaling)ライン（デジタル信号ライン）とを含んでいる。
【００４７】
上記構成のＡＶシステムにおけるリップシンクに係わる動作について説明する。本実施形態のＡＶシステムでは、上記のように、テレビ１０で受信した映像・音声コンテンツの出力と、レコーダ４０で再生された映像・音声コンテンツの出力が可能となっている。このときに、ＡＶアンプ３０を利用して、音声信号についてはＡＶアンプ３０に接続されたスピーカ３７から出力し、映像信号はテレビ１０の表示パネル１７に表示させる動作を行うものとする。勿論実際のＡＶシステムとしては、オーディオシステムから音声出力させるモードと、オーディオシステムを使用することなくテレビ１０のスピーカ２０から音声出力させるモードとがユーザ選択可能となっている。以下では、オーディオシステムによる音声出力モードであることを前提とする。
【００４８】
まず、テレビ１０で受信した放送波による映像・音声コンテンツを視聴する場合、テレビ１０は、自身のチューナ部で選局してデコードした映像信号に対して、その解像度やテレビ１０に設定されている映像モードに応じた映像処理を行って、テレビ１０の表示パネル１７に表示させる。また、デコードした音声信号は、ＳＰＤＩＦによってＡＶアンプ３０に送られる。
【００４９】
このときにテレビ１０の映像・音声遅延量抽出部１３は、映像信号の処理時間により決定した映像遅延量と、音声信号の処理時間により決定した音声遅延量とを抽出し、これら２つの遅延量をパラメータとするＣＥＣのベンダーメッセージをＡＶアンプ３０に送信する。ＣＥＣメッセージを特定機器に送信先するためのアドレス情報は、予めＨＤＭＩ規格に従う論理アドレス及び物理アドレスによってテレビ１０にてマッピングされている。
【００５０】
映像遅延量とは、テレビ１０で映像信号を表示させるまでに要する時間であり、チューナで選局された映像信号に関しては、選局して復調しデコードされた映像信号に対して、解像度や映像モードに応じた映像処理を行って表示パネル１７に表示できるまでの時間を指す。また、音声遅延量とは、チューナで選局され復調されデコードされた音声信号を、テレビから出力するまでの時間である。デコードされた映像信号と音声信号は、放送波のパケットに付加されたタイムスタンプによって同期している。従って両者の遅延量が同じであれば、映像と音声が同期して出力されることになる。
【００５１】
ＡＶアンプ３０は、ＣＥＣメッセージによって現在アクティブの機器がわかっている。例えば、ＡＶアンプ３０の電源が立ち上がったときにＡＶアンプ３０は、ＣＥＣメッセージ〈request active source〉をブロードキャストする。このときＡＶアンプ３０に対してテレビ１０がアクティブであれば、テレビ１０は、ＡＶアンプ３０に対して〈active source〉を返す。ここで、ＡＶアンプ３０は、現在テレビ１０がアクティブであることを知る。これによりＡＶアンプ３０では、テレビからのＳＰＤＩＦの入力を選択し、テレビ３０からの音声信号を受け取ることができる。他のレコーダやプレーヤなどのＨＤＭＩ機器が接続され、これらがアクティブである場合も同様の動作でＡＶアンプ３０の入力切り換えを行うことができる。
【００５２】
ＡＶアンプ３０は、テレビ１０からのＣＥＣメッセージによって映像遅延量と音声遅延量とを受け取ると、映像遅延量と音声遅延量の差分だけ遅らせて音声出力を行う。例えば、映像遅延量が３０ｍｓｅｃ、音声遅延量が１０ｍｓｅｃであるとするとき、テレビ１０からＡＶアンプに対して音声信号が出力されるのは音声遅延量である１０ｍｓｅｃの経過時となる。従ってＡＶアンプ３０では、音声信号を入力した後、映像遅延量と音声遅延量との差分である２０ｍｓｅｃだけさらに遅らせて音声信号をスピーカから出力させる。
【００５３】
また、ＡＶアンプ３０において、音声処理３５において音声遅延が発生する場合は、その遅延量を加味して遅延制御を行う。例えば、上記と同じ値の遅延量を受信し、音声処理３５における音声遅延量が５ｍｓｅｃであるとき、ＡＶアンプ３０では、音声信号を入力した後、映像遅延量と、音声遅延量と、音声処理３５における音声遅延量との差分である１５ｍｓｅｃだけ遅らせて音声信号をスピーカから出力させる。
これにより、ＡＶアンプ３０では、テレビ１０における映像信号の表示に同期して音声を出力させることができる。
【００５４】
次に、図１に示す構成で、レコーダ４０から出力された映像・音声コンテンツを視聴するときの動作を説明する。
レコーダ４０にて記録媒体に記録された映像・音声コンテンツを再生すると、再生されたコンテンツは、ＨＤＭＩケーブルのＴＭＤＳラインによってＡＶアンプ３０に送信される。ここでＡＶアンプ３０では、入力した映像・音声コンテンツから音声信号を抜き出して、オーディオシステムのスピーカ３７から音声出力させる。このときの音声出力は、以下に説明するテレビ１０から入力する映像遅延量に従う。
【００５５】
レコーダ３０からＨＤＭＩケーブルにより出力された映像・音声コンテンツのうちの映像信号は、ＡＶアンプ３０を通過してテレビ１０のＨＤＭＩレシーバ１４で受信される。テレビの映像モード・解像度判別部１２では、入力した映像信号の解像度とテレビ１０の現在の映像モードとを判別し、映像・音声遅延量抽出部１３がその判別結果に従って映像遅延量を抽出する。抽出された映像遅延量は、ＣＥＣメッセージによってＡＶアンプ３０に伝達される。このときＡＶアンプ側では音声遅延量は必要ないため、音声遅延量の情報を送信しなくてもよいが、ここでは、映像遅延量と音声遅延量とをパラメータとしたＣＥＣメッセージを作成してＡＶアンプ３０に送ることで、テレビ視聴時と同じＣＥＣメッセージを使用できる。ＡＶアンプ３０では、テレビから送信されたＣＥＣメッセージの映像遅延量を使用して、スピーカから音声信号を出力させる。これにより、テレビ１０で表示される映像信号と、ＡＶアンプ３０に接続されるスピーカから出力される音声信号が同期する。
【００５６】
図３は、本発明に係るＡＶシステムの他の接続構成例を示す図である。図３のＡＶシステムは、映像表示装置としてテレビ１０を備えるとともに、オーディオシステムとして、ＡＶアンプ３０及び該ＡＶアンプ３０に接続された図示しないスピーカを備えている。テレビ１０とＡＶアンプ３０は、ＨＤＭＩケーブルで接続されるとともに、ＳＰＤＩＦ（ＳＰＤＩＦ１とする）によってテレビ１０からＡＶアンプ３０に音声信号を送信することができる。
【００５７】
ＡＶアンプ３０のＨＤＭＩ入力端子には、レコーダ４０が接続されている。また、テレビ１０の第２のＨＤＭＩ入力端子には、プレーヤ５０が接続される。さらに本例では、プレーヤ５０で再生された音声信号は、ＳＰＤＩＦ２によってプレーヤ５０からＡＶアンプ３０に直接送信できるようになっている。
【００５８】
図４は、図３に示すＡＶシステムの要部構成例を示すブロック図である。図４に示すＡＶシステムは、図２に示すＡＶシステムに加えて、プレーヤ５０がＡＶアンプ３０に接続された構成となっている。ここでレコーダ４０，ＡＶアンプ３０の構成は、図２のＡＶシステムと同様であり、その繰り返しの説明は省略する。また、図２のテレビ１０は、図２の構成に加えて、ＨＤＭＩ入力を切り換えるためのＨＤＭＩスイッチ２２を有している。これにより、ＡＶアンプ３０から出力された映像信号と、プレーヤ５０から出力された映像信号とを切り換えて入力することができる。テレビ１０のその他の構成とその機能については、図２の例と同様である。
【００５９】
この例の場合、ＡＶアンプ３０では、光入力部３８の第２の光入力（光入力部２）に対して、プレーヤ５０のＳＰＤＩＦ２のケーブルが接続される。またテレビ１０のＨＤＭＩスイッチ２２には、プレーヤ５０からのＨＤＭＩケーブルが接続される。プレーヤ５０の要部は、図２に示すレコーダ４０の要部と同様であり、記録媒体に記録した映像信号と音声信号をそれぞれ処理する映像処理部５２及び音声処理部５３と、処理された映像信号及び音声信号を送信するＨＤＭＩトランスミッタ５４と、ＣＥＣメッセージを送受信するためのＣＥＣ処理部５１とを備えている。
【００６０】
上記構成のＡＶシステムにおけるリップシンクに係わる動作について説明する。本例のＡＶシステムでは、テレビ１０で受信した映像・音声コンテンツの視聴が可能であり、また、レコーダ４０で再生された映像・音声コンテンツ、及びプレーヤ５０で再生された映像・音声コンテンツの視聴が可能となっている。このときに、音声信号についてはＡＶアンプ３０に接続されたスピーカ３７から音声出力し、映像信号はテレビ１０の表示パネル１７に表示させるものとする。
【００６１】
テレビ１０で受信した放送波による映像・音声コンテンツを視聴する場合、及びレコーダ４０で再生させた映像・音声コンテンツを視聴する場合は、上記図１の接続例と同様の動作となる。
ここでは、プレーヤ５０の再生コンテンツを視聴する場合の動作を説明する。本例では、プレーヤ５０で再生された映像信号は、ＨＤＭＩケーブルによってテレビ１０に送信され、テレビ１０の表示パネルで表示される。また、プレーヤ５０で再生された音声信号は、ＳＰＤＩＦ２によってＡＶアンプ３０に直接送信され、ＡＶアンプ３０に接続されたスピーカから音声出力される。
【００６２】
このときテレビ１０は、プレーヤ５０から送信された映像信号に対してその解像度やテレビ１０に設定されている映像モードに応じた映像処理を行って、テレビ１０の表示パネル１７に表示させる。そして、テレビの映像・音声遅延量抽出部１３は、このときの映像処理の遅延量を抽出し、映像遅延量をパラメータとしたＣＥＣのベンダーメッセージをＡＶアンプ３０に送信する。この場合にも、ＨＤＭＩケーブルによってテレビ１０に送信される音声信号の音声遅延量を求め、映像遅延量とともに音声遅延量をパラメータとしたＣＥＣメッセージをＡＶアンプ３０に送信することができる。
【００６３】
また、ＳＰＤＩＦ２は、プレーヤ５０から出力された音声信号を直接ＡＶアンプ３０に送信する。ＡＶアンプ３０は、送信された音声信号に音声処理を施してスピーカから音声出力させる。このときＡＶアンプ３０では、テレビ１０から送られた映像遅延量だけ音声出力を遅らせて音声を映像に同期させる。
【００６４】
例えば、テレビ１０から送信された映像遅延量が３０ｍｓｅｃ、プレーヤ５０からＳＰＤＩＦ２によって直接送信された音声信号をスピーカから出力させるまでの音声遅延量が１０ｍｓｅｃであるとするとき、ＡＶアンプ３０では、プレーヤ５０から音声信号を入力した後、映像遅延量と音声遅延量との差分である２０ｍｓｅｃだけ遅らせて音声信号をスピーカから出力させる。音声遅延量は、ＡＶアンプ３０にて決定することができる。これにより、ＡＶアンプ３０では、映像信号の表示に同期して音声を出力させることができる。
【００６５】
なお、この場合、プレーヤとＡＶアンプを接続するＳＰＤＩＦ２がなくても、テレビ１０とＡＶアンプ３０とを接続するＳＰＤＩＦ（ＳＰＤＩＦ１とする）があれば、ＡＶアンプ３０による音声出力を行うことができる。つまり、プレーヤ５０は、ＨＤＭＩケーブルのＴＭＤＳラインにより映像信号と音声信号をテレビ１０に送信し、テレビ１０では映像信号に映像処理を行って表示パネルに表示させるとともに、音声信号はＳＰＤＩＦ１によってテレビ１０からＡＶアンプ３０に送信する。また、テレビ１０は、映像遅延量と音声遅延量をＣＥＣのベンダーメッセージによってＡＶアンプ３０に送信する。ＡＶアンプ３０では、送信された映像遅延量に同期させるようにＳＰＤＩＦ１から送信された音声信号を音声出力させる。
【００６６】
このように、ＳＰＤＩＦ２がなく、ＳＰＤＩＦ１を用いた構成であっても映像と音声との同期出力が可能であるが、ＨＤＭＩで出力される音声信号の場合、その音声フォーマットが限定される可能性がある。例えば、テレビがＨＤＭＩで受けることができる音声フォーマットがリニアＰＣＭに限られているものがある。これに対して、ＳＰＤＩＦ２によって直接に音声信号をＡＶアンプに転送できる構成であれば、ＤＴＳ（Digital Theater Systems）やドルビーなどのデジタル方式で記録された音声信号であっても、ＡＶアンプ３０を介して音声出力することができる。つまりＳＰＤＩＦ２を使用することで、音声フォーマットに応じたより臨場感の高い音声出力を行うことができる。
【００６７】
図５は、本発明の実施形態におけるテレビとＡＶアンプの処理シーケンスの一例を説明するための図である。
ここでは、テレビとＡＶアンプとが接続された構成を例として、テレビで映像モードが切り換えられた場合、及びＡＶアンプに入力する映像信号の解像度が切り換えられた場合の処理シーケンスを説明する。
【００６８】
まず、テレビにて特定の映像・音声コンテンツを視聴しているときに、ユーザ操作によって映像モードが切り換えられ他場合（Ｓ１）、テレビでは、ＣＥＣメッセージである〈Vender Command１〉をＡＶアンプに送る（Ｓ２）。〈Vender Command１〉は、ＨＤＭＩ規格においてメーカごとに定義できるベンダーメッセージの１つであるものとする。以下の各メッセージについても同様である。
【００６９】
上記の〈Vender Command１〉は、ＡＶアンプに対する音声ミュートを指示するＣＥＣメッセージで、ここでは、〈Vender Command１〉の音声ミュートのパラメータは、［ＯＮ］になっている。ＡＶアンプでは、このＣＥＣメッセージを受信すると、自身の音声をミュートする（Ｓ３）。これは、映像モード切り換え直後に、映像と同期しない音声が出力することを防ぐことを目的としている。
テレビでは、映像モードを切り換えた後、その切り換え後の映像モードと現在視聴中の映像・音声コンテンツの解像度とに応じた映像遅延量及び音声遅延量とが確定する（Ｓ４）。ここでテレビは、確定した映像遅延量と音声遅延量とをパラメータとした〈Vender Command２〉をＡＶアンプに送り（Ｓ５）、さらに〈Vender Command１〉をＡＶアンプに送る（Ｓ６）。この場合の〈Vender Command１〉の音声ミュートのパラメータは、［ＯＦＦ］となっていて、ミュートの解除を指示するものである。
【００７０】
ＡＶアンプでは、〈Vender Command２〉に従って音声遅延量を切り換えて、テレビの映像モードに合わせた音声遅延量により、映像と同期させて音声を出力させる（Ｓ７）。
そしてＡＶアンプでは、ミュートの解除を指示する〈Vender Command１〉に従ってミュートを解除する（Ｓ８）。これにより、テレビで映像モードが切り換えられたときにも、違和感なく確実に映像と音声とを同期させることができる。ここで、ＡＶアンプでは、ミュートを解除する〈Vender Command１〉が送られてこない場合に対処できるように、所定のタイムアウトを設け、ミュートＯＮの後、タイムアウトになった時点でミュートを解除させるようにする。また、ＡＶアンプは、音声のミュート中に、音量増減等の音声制御に関するメッセージを受け取った場合には、そのメッセージに従う制御処理を実行する。下記のミュート時にも同様である。
【００７１】
次に、ＡＶアンプに接続しているレコーダ等の外部機器から出力された映像・音声コンテンツの解像度が切り換えられた場合（Ｓ９）、ＡＶアンプでは、自身の音声出力をミュートする（Ｓ１０）。ＡＶアンプは、ＨＤＭＩケーブルのＴＭＤＳラインによりレコーダから送られてくる映像・音声信号が一旦途切れることにより、解像度が切り換えられた可能性があることを判別できる。この時点でＡＶアンプは音声出力をミュートする。ＴＭＤＳの信号の途切れはそのままテレビにも伝えられ、テレビにおいても解像度の切り換えの可能性が判別できる。この時点でテレビでも解像度が不定の状態となる（Ｓ１１）。
【００７２】
解像度が不定の状態になると、テレビでは、ＡＶアンプに対して〈Vender Command１〉を送る。この場合の〈Vender Command１〉の音声ミュートのパラメータは、［ＯＮ］であり、ミュートを指示するものである。これを受けたＡＶアンプでは、音声出力をミュートするが、すでにＳ１０の時点でミュートがＯＮになっているため、そのミュートを継続する。
その後、テレビでは、レコーダからＴＭＤＳラインで送られてくる切り換え後の映像信号の解像度を判定し、その解像度と、現在のテレビの映像モードとから映像遅延量と音声遅延量を抽出し、これらをパラメータとした〈Vender Command２〉をＡＶアンプに送る（Ｓ１４）。そしてさらに、音声ミュートのパラメータが［ＯＦＦ］となっている〈Vender Command１〉をＡＶアンプに送る（Ｓ１５）。
【００７３】
ＡＶアンプでは、〈Vender Command２〉に従って音声遅延量を切り換えて、テレビの映像モードに合わせた音声遅延量により、映像と同期させて音声を出力させる（Ｓ１６）。そしてＡＶアンプでは、ミュートの解除を指示する〈Vender Command１〉に従ってミュートを解除する（Ｓ１７）。これにより、レコーダからの映像の解像度が切り換えられたときにも、違和感なく確実に映像と音声とを同期させることができる。
【００７４】
また、ＡＶアンプでは、図示しない〈Vender Command ３〉によって、〈Vender Command ２〉に対応しているテレビの可否を判定することができる。
例えば、テレビが起動している状態で、アンプの電源が入ったとき、ＡＶアンプでは、音声の遅延量を判断することができない。これに対応するために、ＡＶアンプでは、テレビの映像遅延量及び音声遅延量をパラメータとする〈Vender Command２〉の送信を要求するための〈Vender Command３〉をテレビに送信する。テレビがこれに対応する機能を有していれば、映像遅延量と音声遅延量とをパラメータとした〈Vender Command２〉をＡＶアンプに送信する。また、ＡＶアンプがテレビから〈Vender Command２〉を受け取ることができない場合には、所定の音声遅延量を設定する。
【００７５】
図６は、レコーダの再生コンテンツを視聴しているときの信号と出力の状態を説明するための図で、図５のシーケンスに対応した動作を説明するものである。
ＡＶアンプでは、レコーダからＨＤＭＩケーブルのＴＭＤＳラインを介して映像信号と音声信号が送信されてくる。また、ＡＶアンプに接続されたスピーカからは、レコーダから送信された音声信号が音声出力される。また、この例では、テレビでは、レコーダから送信された映像信号と音声信号とが入力され、テレビのスピーカからの音声出力はミュートされるが、例えばテレビのヘッドフォン（ＨＰ）が利用可能となっている。
【００７６】
図６において、ＡＶアンプに映像信号と音声信号とがレコーダから入力されている状態で、レコーダから映像・音声コンテンツの解像度が切り換えられた場合（Ｓ２１）、これら映像信号および音声信号が安定した信号となるまでに若干の時間がかかる（Ｓ２２）。レコーダの解像度切り換えは、上述のようにレコーダからのＴＭＤＳラインの信号が一旦途切れることにより判別できる。ＡＶアンプでは、Ｓ２１の解像度切り換えのタイミングで音声をミュートする（Ｓ２３）。
【００７７】
ＴＭＤＳの信号の途切れは、そのままテレビにも伝えられ、テレビにおいても解像度の切り換えの可能性が判別できる。この時点でテレビでも解像度が不定の状態となり（Ｓ２６）、同時に音声も不定の状態となる。また、テレビのヘッドフォン出力はミュートする（Ｓ３０）。
テレビでは、解像度が不定の状態になると、ＡＶアンプに対して音声ミュートを指示する〈Vender Command１〉を送る（Ｓ２７）。ＡＶアンプはこれを受けて音声をミュートさせるが、すでにＳ２３でミュートされているため、そのミュートを継続する。
その後、テレビでは、レコーダからＴＭＤＳラインで送られてくる切り換え後の映像信号の解像度を確定し（Ｓ２８）、その解像度と現在のテレビの映像モードとから映像遅延量を抽出し、これをパラメータとした〈Vender Command２〉と、音声ミュートを解除する〈Vender Command１〉とをＡＶアンプに送る（Ｓ２９）。
【００７８】
ＡＶアンプでは、Ｓ２９の〈Vender Command２〉に従って音声遅延量を変更し、テレビの映像モードに合わせた音声遅延量により、映像と同期させて音声を出力させ（Ｓ２４）、〈Vender Command１〉に従ってミュートを解除する（Ｓ２５）。
また、テレビのヘッドフォン端子の出力は、切り換え後の解像度をテレビが確定することで遅延量を変更し（Ｓ３１）、さらにミュートを解除することで（Ｓ３２）、映像遅延量に同期したヘッドフォン出力を実行させる。これにより、レコーダからの映像の解像度が切り換えられたときにも、違和感なく確実に映像と音声とを同期させることができる。
【００７９】
図７は、テレビの受信コンテンツを視聴しているときの信号と出力の状態を説明するための図である。図７は、図５のシーケンスに対応した動作を説明するものであり、映像遅延量と音声遅延量とに基づく映像と音声との同期制御を実行するものであるが、ここではさらにテレビでは、視聴中のデジタル放送波からジャンル情報を抽出して、そのジャンル情報をＡＶアンプに送信し、ＡＶアンプではそのジャンル情報を使用して、オーディオシステムのサウンドモードを変更できるようにしている。
まずテレビでは、チューナで選局された放送コンテンツを視聴しているものとする。テレビの表示パネルには選局中の映像信号が表示され、テレビのＳＰＤＩＦからは選局中の放送コンテンツの音声信号が出力される。ＡＶアンプでは、テレビのＳＰＤＩＦから出力された音声信号をテレビの映像信号に同期させてスピーカから出力させる。
【００８０】
図７において、選局中の放送コンテンツを視聴している状態で、ユーザによる選局操作が行われた場合（Ｓ４１）、映像信号は若干の時間、不安定な状態となり、その後選局後の解像度が確定する（Ｓ４２）。このときの選局タイミングは、映像モードの切り換えタイミングであってもよい。
選局によって、ＳＰＤＩＦからの音声出力は０データとなり、その後選局後の解像度確定に応じて音声遅延量が変更される（Ｓ４３）。音声遅延量の変更後、テレビのＳＰＤＩＦからは音声出力が開始される。また、選局時にはテレビのヘッドフォン出力もミュートされ（Ｓ４４）、解像度確定後に音声遅延量を変更し（Ｓ４５）、ミュートを解除する（Ｓ４６）。
【００８１】
テレビでは、Ｓ４１の選局のタイミングで、ＡＶアンプに対して音声ミュートを指示する〈Vender Command１〉を送る（Ｓ４７）。
ＡＶアンプでは、テレビからのＳＰＤＩＦ出力が０データとなることで、ＡＶアンプへのＳＰＤＩＦ入力も０データとなる。また、テレビから送られた〈Vender Command１〉に従ってスピーカからの音声出力をミュートする（Ｓ５１）。
【００８２】
ここでテレビでは、選局後の放送コンテンツからその放送コンテンツのジャンル情報を抽出し、ＡＶアンプに送信する（Ｓ４８）。ジャンル情報は、地上デジタル放送やＢＳ，ＣＳデジタル放送信に重畳されて送信されてくる電子番組表（ＥＰＧ）の一部にジャンルコードとして含まれていて、大分類と、その大分類を更に分類する中分類とが規定されている。ここでは、ジャンル情報１として大分類のジャンル情報のみを送信するものとする。
その後テレビは、Ｓ４２で解像度が確定すると、その確定後の解像度に従って映像遅延量と音声遅延量とを抽出し、これらをパラメータとする〈Vender Command２〉をＡＶアンプに送り、さらにミュート解除を指示する〈Vender Command１〉をＡＶアンプに送る（Ｓ４９）。
【００８３】
ＡＶアンプでは、〈Vender Command２〉に従って音声遅延量を変更し、テレビの映像モードに合わせた音声遅延量により、映像と同期させて音声を出力させる（Ｓ５２）。さらに、〈Vender Command１〉に従ってミュートを解除する（Ｓ５３）。テレビからは、さらに中分類を含む全てのジャンル情報をＡＶアンプに送る（Ｓ５０）。
【００８４】
本例では、テレビからＡＶアンプに送信されたジャンル情報は、オーディオシステムのサウンドモードの設定に用いられる。サウンドモードは、ＡＶアンプとスピーカによるオーディオシステムにおいて設定されている複数の選択可能な音声出力モードであり、コンテンツの種類に応じて予め定めた音質で音声出力できるようにしたものである。例えば、サウンドモードの設定例として、“シネマ”、“ニュース”、“ミュージック”、“スポーツ”、“ナイト”などを設定し、それぞれの設定に対して、そのコンテンツの種類や視聴環境に応じた適切な音質条件を予め設定しておくものである。ここでは、ＡＶアンプは、テレビから送られてきたジャンル情報に連動させて、そのジャンルに応じたサウンドモードを自動的に変更する。
【００８５】
図８は、本発明の実施形態における映像処理装置の処理の一例を説明するためのフローチャートで、オーディオシステムを構成するＡＶアンプに接続されたテレビの処理例を示すものである。
テレビでは、レコーダからＡＶアンプを経て入力する映像・音声コンテンツの解像度の変化、入力切り換え、及び映像モードの変化があったときに図７に示すごとくの処理を行う。まず、映像の解像度が切り換えられた場合（Ｓ６１−Ｙｅｓ）、ＣＥＣメッセージ（Vender Command１〉によってＡＶアンプに対してミュートを指示する（Ｓ６２）。ここでは、上記のようにＨＤＭＩケーブルのＴＭＤＳライン信号が途切れた場合に、解像度が変化した可能性あるものと判断される。解像度が実際に変化していれば、上記のようにＡＶアンプに対するミュートを指示する。
【００８６】
そして、新たな解像度が確定したかどうかを確認し（Ｓ６３）、解像度が確定すれば、あらたな視聴コンテンツのジャンルが変化したかどうかを判別する（Ｓ６４）。ここでジャンルが変化していれば、ＡＶアンプに対して新たなジャンル情報を送信する（Ｓ６５）。ジャンル情報は、ＣＥＣのベンダーメッセージによって送信することができる。さらにテレビは、確定後の解像度に従って映像遅延量と音声遅延量とを抽出し、これらをパラメータとする〈Vender Command２〉をＡＶアンプに送り（Ｓ６６）、さらにミュート解除を指示する〈Vender Command１〉をＡＶアンプに送る（Ｓ６７）。
【００８７】
一方、Ｓ６１の映像・音声コンテンツの解像度の変化ではなく、入力切換あった場合（Ｓ６８−Ｙｅｓ）、解像度変化と同様にＳ６２に進んでミュートを指示する（Vender Command２〉をＡＶアンプ送る。
また、入力切り換えではなく、映像モードが変化していれば（Ｓ６９−Ｙｅｓ）、その変化に伴って遅延量が変化しているかどうかを判別し（Ｓ７０）、遅延量が変化していれば、ミュートを指示する〈Vender Command１〉をＡＶアンプに送る（Ｓ７１）。その後Ｓ６４に進んでジャンル変化の有無を判定する。また、上記Ｓ６９で映像モードの変化が無かった場合、およびＳ７０で遅延量変化がなかった場合には、Ｓ６１に戻る。
【００８８】
このように、テレビでは、表示中の映像の解像度が変化した時、外部入力が切り換えられた時、あるいは映像モードが切り替られた時には、映像遅延量の変化の有無にかかわらず、映像遅延量と音声遅延量とをオーディオシステムに送信する処理を行うようにしている。さらに、後述するオーディオシステムからの遅延量の送信要求を受信することで、オーディオシステムの接続を検出した時にも、映像遅延量と音声遅延量とをオーディオシステムに送信する。
【００８９】
図９は、本発明の実施形態におけるオーディオシステムの処理の一例を説明するためのフローチャートで、オーディオシステムを構成するＡＶアンプの処理例を示すものである。ＡＶアンプが起動すると、まず音声のミュートを行う（Ｓ８１）。そして、映像・音声遅延量の情報要求をテレビに送信する（Ｓ８２）。この情報要求は、ＣＥＣのベンダーメッセージによって送信することができる。
この情報要求に対して、テレビから映像遅延量と音声遅延量とをパラメータとする〈Vender Command２〉を受信した場合（Ｓ８３−Ｙｅｓ）、ＡＶアンプではそのパラメータに基づいて音声出力の遅延量を設定する処理を行う（Ｓ８４）。ここで、ＡＶシステムの設定が、音声をＡＶアンプから出力させる状態になっているかどうかを判定し（Ｓ８５）、ＡＶアンプから音声出力させる場合には、ミュートを解除して音声出力させる（Ｓ８６）。
【００９０】
一方、Ｓ８３でＡＶアンプが〈Vender Command２〉を受信できなければ、タイムアウトになるまで判断し（Ｓ９５）、タイムアウトになった場合には、Ｓ８５に進んでＡＶアンプから出力させる場合にはミュートを解除する。ここでは、音声遅延量には所定の値を設定する。この時点では、テレビの映像遅延量と音声遅延量がわからないため、映像と音声の正確な同期を行うことはできない。
【００９１】
次に、Ｓ８６でミュートされている状態で、ＡＶアンプがミュートを指示する〈Vender Command１〉を受信すると（Ｓ８７−Ｙｅｓ）、ＡＶアンプでは、自身の音声出力をミュートし（Ｓ８８）、さらにジャンル情報を受信したか否かを判別する（Ｓ８９）。また、Ｓ８７でミュートを指示する〈Vender Command１〉を受信しなかった場合には、ミュートすることなく、ジャンル情報の受信の可否を判断する。ジャンル情報は、図８の処理によって、テレビで視聴しているコンテンツのジャンルが変化したときに、ＣＥＣメッセージによってテレビから送られてくる。ＡＶアンプは、ジャンル情報を受信した場合には、サウンドモードを変更する（Ｓ９０）。変更するサウンドモードは、予めジャンル情報に応じて定められている。
【００９２】
そしてＡＶアンプでは、さらに映像遅延量と音声遅延量とをパラメータとする〈Vender Command２〉を受信した場合（Ｓ９１−Ｙｅｓ）、そのパラメータに従って音声遅延量を設定する処理を行う（Ｓ９２）。ここでＡＶシステムの設定が、音声をＡＶアンプから出力させる状態になっているかどうかを判定し（Ｓ９３）、ＡＶアンプから音声出力させる場合には、ミュートを解除して音声出力させる（Ｓ９４）。また、〈Vender Command２〉を受信できなければ（Ｓ９１−Ｎｏ）、タイムアウトになるまで判断し（Ｓ９６）、タイムアウトになった場合には、Ｓ９３に進んでＡＶアンプから出力させる場合にはミュートを解除する。
【符号の説明】
【００９３】
１０…テレビ、１１…ＣＥＣ処理部、１２…映像モード・解像度判別部、１３…映像・音声遅延量抽出部、１４…ＨＤＭＩレシーバ、１５…映像処理部、１６…映像用バッファ、１７…表示パネル、１８…音声処理部、１９…音声用バッファ、２０…スピーカ、２１…光出力部、３０…ＡＶアンプ、３１…ＣＥＣ処理部、３２…バッファ制御部、３３…ＨＤＭＩレシーバ、３４…ＨＤＭＩトランスミッタ、３５…音声処理部、３６…音声用バッファ、３７…スピーカ、３８…光入力部、４０…レコーダ、４１，５１…ＣＥＣ処理部、４２，５２…映像処理部、４３，５３…音声処理部、４４，５４…ＨＤＭＩトランスミッタ、５０…プレーヤ。
【図１】
2010273078.tif 000003
【図２】
2010273078.tif 000004
【図３】
2010273078.tif 000005
【図４】
2010273078.tif 000006
【図５】
2010273078.tif 000007
【図６】
2010273078.tif 000008
【図７】
2010273078.tif 000009
【図８】
2010273078.tif 000010
【図９】
2010273078.tif 000011